(57)【要約】【課題】原稿の色の違いによる誤判断、及びカバーが半開きの状態の場合での誤判断を低減して、原稿のサイズを判断することができる画像読取装置を提供する。【解決手段】画像読取装置であって、カバー部材が第１下降位置まで下降した際に第１受光信号を検出し、カバー部材が第１下降位置よりも下方の第２下降位置まで下降した際に第２受光信号を検出する受光信号検出部と、第１受光信号と第２受光信号との差分又は比率によって示される比較値を算出する比較値算出部と、比較値が比較値閾値以下であるか否かによって原稿のサイズを判断する原稿サイズ判断部と、第２受光信号を用いて半開き状態であるか否かを判断する半開き判断部とを備え、原稿サイズ判断部は、半開き状態であると判断された場合、比較値閾値を変化させて比較値が変化後の比較値閾値以下であるか否かによって原稿のサイズを判断する。【選択図】図４
2011066579.tif 000002
【特許請求の範囲】
【請求項１】
原稿を載置するための載置領域を有する原稿載置部と、前記載置領域を照射する光源と、前記原稿載置部の上方から前記原稿を覆うように下降するカバー部材とを備える画像読取装置であって、
前記カバー部材が第１下降位置まで下降した際に、前記光源に照射された前記載置領域からの光を受光して第１受光信号を検出し、前記カバー部材が前記第１下降位置よりも下方の第２下降位置まで下降した際に、前記光源に照射された前記載置領域からの光を受光して第２受光信号を検出する受光信号検出部と、
検出された前記第１受光信号と前記第２受光信号との差分又は比率によって示される比較値を算出する比較値算出部と、
算出された前記比較値が所定の閾値である比較値閾値以下であるか否かによって、前記原稿のサイズを判断する原稿サイズ判断部と、
前記受光信号検出部が検出した第２受光信号を用いて、前記第２下降位置が半開き状態の下降位置であるか否かを判断する半開き判断部とを備え、
前記原稿サイズ判断部は、前記第２下降位置が半開き状態の下降位置であると判断された場合、前記比較値閾値を変化させて、前記比較値が変化後の前記比較値閾値以下であるか否かによって、前記原稿のサイズを判断する
画像読取装置。
【請求項２】
前記半開き判断部は、
前記載置領域のうち、前記原稿載置部に載置される原稿の最大原稿幅外の位置からの光を受光した場合の前記第２受光信号である最大幅信号で示される値が所定の閾値である受光信号閾値よりも小さいと判断した場合、前記第２下降位置を、前記カバー部材が前記原稿載置部を閉止していない半開き状態の下降位置であると判断し、
前記最大幅信号で示される値が前記受光信号閾値以上であると判断した場合、前記第２下降位置を、前記カバー部材が前記原稿載置部を閉止した閉止状態の下降位置であると判断する
請求項１に記載の画像読取装置。
【請求項３】
前記比較値算出部は、前記第２受光信号から前記第１受光信号を差し引いた値、又は前記第２受光信号を前記第１受光信号で除した値である前記比較値を算出し、
前記原稿サイズ判断部は、前記第２下降位置が半開き状態の下降位置であると判断された場合、前記比較値閾値を低減させて、前記比較値が低減後の前記比較値閾値以下であるか否かによって、前記原稿のサイズを判断する
請求項１又は２に記載の画像読取装置。
【請求項４】
前記比較値算出部は、前記載置領域のうちの所定の位置である受光位置からの光を受光した場合の前記比較値を算出し、
前記原稿サイズ判断部は、前記第２下降位置が半開き状態の下降位置であると判断された場合であって、前記比較値が低減後の前記比較値閾値以下であると判断した場合、前記受光位置よりも外側に原稿の端部があるとして前記原稿のサイズを判断する
請求項３に記載の画像読取装置。
【請求項５】
前記受光位置は、Ｂ４幅外かつＡ３幅内の位置にあり、
前記比較値算出部は、前記受光位置からの光を受光した場合の、前記第２受光信号を前記第１受光信号で除した値である前記比較値を算出し、
前記原稿サイズ判断部は、前記比較値が低減後の前記比較値閾値以下であると判断した場合、前記原稿のサイズをＡ３幅のサイズであると判断する
請求項４に記載の画像読取装置。
【請求項６】
さらに、
前記カバー部材が第１下降位置まで下降した際、及び前記カバー部材が第２下降位置まで下降した際に、前記光源に、前記原稿載置部の下方から前記原稿又は前記カバー部材に向けて前記載置領域を照射させる照射部を備え、
前記受光信号検出部は、前記カバー部材が前記第１下降位置まで下降した際に、前記原稿に反射された前記光源の光、又は前記カバー部材に反射された前記光源の光を受光して前記第１受光信号を検出し、前記カバー部材が前記第２下降位置まで下降した際に、前記原稿に反射された前記光源の光、又は前記カバー部材に反射された前記光源の光を受光して前記第２受光信号を検出する
請求項１〜５のいずれか１項に記載の画像読取装置。
【発明の詳細な説明】
【技術分野】
【０００１】
本発明は、原稿載置部に載置された原稿のサイズを判断する画像読取装置に関する。
【背景技術】
【０００２】
近年、省スペース化を指向して、コピー機能、ファクシミリ通信機能、及びネットワーク通信機能を一台で兼ね備えたネットワーク複合機の普及が進んでいる。そして、このネットワーク複合機には、原稿の画像をスキャナ等により読み取る画像読取装置が備えられている。
【０００３】
この画像読取装置は、原稿の画像を読み取る際に当該原稿のサイズを判断する機能を備えている。そして、従来、画像読取装置は、カバーが閉まる直前にカバーに向けて光源を点灯させ、原稿又はカバーからの反射光を受光することで、受光する光の強さから原稿のサイズを判断している。
【０００４】
また、カバーが閉まった状態で原稿又はカバーからの反射光を受光することで、原稿のサイズを判断する画像読取装置も提案されている（例えば、特許文献１参照）。
【先行技術文献】
【特許文献】
【０００５】
【特許文献１】特開平９−１３５３３０号公報
【発明の概要】
【発明が解決しようとする課題】
【０００６】
ここで、原稿からの反射光を受光することで原稿のサイズを判断する従来の画像読取装置では、原稿の色の違いによって異なる強さの光を受光する。例えば、白色の原稿からの反射光と黒色の原稿からの反射光とでは、異なる強さの光を受光する。このため、従来の画像読取装置では、原稿の色の違いによって原稿のサイズを誤判断する可能性がある。
【０００７】
また、上記特許文献１に開示された従来の画像読取装置では、カバーが閉まった状態での原稿からの反射光を用いて原稿のサイズを判断するので、カバーが半開きの状態の場合に、原稿のサイズを誤判断する可能性がある。特に、原稿が本などの場合に、カバーが半開きの状態になり、原稿のサイズを誤判断する可能性がある。
【０００８】
このため、従来の画像読取装置では、原稿の色の違いによって原稿のサイズを誤判断する可能性があり、また、カバーが半開きの状態の場合に、原稿のサイズを誤判断する可能性があるという問題がある。
【０００９】
そこで、本発明は、このような問題に鑑みてなされたものであり、原稿の色の違いによる誤判断、及びカバーが半開きの状態の場合での誤判断を低減して、原稿のサイズを判断することができる画像読取装置を提供することを目的とする。
【課題を解決するための手段】
【００１０】
上記目的を達成するために、本発明に係る画像読取装置は、原稿を載置するための載置領域を有する原稿載置部と、前記載置領域を照射する光源と、前記原稿載置部の上方から前記原稿を覆うように下降するカバー部材とを備える画像読取装置であって、前記カバー部材が第１下降位置まで下降した際に、前記光源に照射された前記載置領域からの光を受光して第１受光信号を検出し、前記カバー部材が前記第１下降位置よりも下方の第２下降位置まで下降した際に、前記光源に照射された前記載置領域からの光を受光して第２受光信号を検出する受光信号検出部と、検出された前記第１受光信号と前記第２受光信号との差分又は比率によって示される比較値を算出する比較値算出部と、算出された前記比較値が所定の閾値である比較値閾値以下であるか否かによって、前記原稿のサイズを判断する原稿サイズ判断部と、前記受光信号検出部が検出した第２受光信号を用いて、前記第２下降位置が半開き状態の下降位置であるか否かを判断する半開き判断部とを備え、前記原稿サイズ判断部は、前記第２下降位置が半開き状態の下降位置であると判断された場合、前記比較値閾値を変化させて、前記比較値が変化後の前記比較値閾値以下であるか否かによって、前記原稿のサイズを判断する。
【００１１】
これによれば、カバー部材の２つの下降位置での受光信号の差分又は比率から、原稿のサイズを判断する。つまり、原稿の色にかかわらず、カバー部材の２つの下降位置での受光信号は同等の値になるために、当該２つの下降位置での受光信号の差分はゼロ、又は比率は１に近い値となる。このため、原稿の色の違いによる誤判断を低減して、原稿のサイズを判断することができる。
【００１２】
また、第２下降位置が半開き状態の下降位置であると判断した場合に、比較値閾値を変化させて、原稿のサイズを判断する。つまり、半開き状態で受光信号が検出された場合に、原稿のサイズを判断するための比較値閾値を半開き状態に合った値に変化させて、原稿のサイズを判断することができる。このため、カバーが半開きの状態の場合での誤判断を低減して、原稿のサイズを判断することができる。
【００１３】
したがって、原稿の色の違いによる誤判断、及びカバーが半開きの状態の場合での誤判断を低減して、原稿のサイズを判断することができる。
【００１４】
また、好ましくは、前記半開き判断部は、前記載置領域のうち、前記原稿載置部に載置される原稿の最大原稿幅外の位置からの光を受光した場合の前記第２受光信号である最大幅信号で示される値が所定の閾値である受光信号閾値よりも小さいと判断した場合、前記第２下降位置を、前記カバー部材が前記原稿載置部を閉止していない半開き状態の下降位置であると判断し、前記最大幅信号で示される値が前記受光信号閾値以上であると判断した場合、前記第２下降位置を、前記カバー部材が前記原稿載置部を閉止した閉止状態の下降位置であると判断する。
【００１５】
これによれば、原稿の最大原稿幅外の位置からの光を受光した場合の第２受光信号である最大幅信号から、第２下降位置が半開き状態の下降位置であるか否かを判断する。ここで、原稿載置部に原稿が載置されていても、原稿の最大原稿幅外の位置には原稿が載置されないため、原稿の有無によって最大幅信号で示される値は変化しない。このため、原稿の有無にかかわらず、半開き状態であるか否かを判断することができることから、カバーが半開きの状態の場合での誤判断を低減して、原稿のサイズを判断することができる。
【００１６】
また、好ましくは、前記比較値算出部は、前記第２受光信号から前記第１受光信号を差し引いた値、又は前記第２受光信号を前記第１受光信号で除した値である前記比較値を算出し、前記原稿サイズ判断部は、前記第２下降位置が半開き状態の下降位置であると判断された場合、前記比較値閾値を低減させて、前記比較値が低減後の前記比較値閾値以下であるか否かによって、前記原稿のサイズを判断する。
【００１７】
さらに好ましくは、前記比較値算出部は、前記載置領域のうちの所定の位置である受光位置からの光を受光した場合の前記比較値を算出し、前記原稿サイズ判断部は、前記第２下降位置が半開き状態の下降位置であると判断された場合であって、前記比較値が低減後の前記比較値閾値以下であると判断した場合、前記受光位置よりも外側に原稿の端部があるとして前記原稿のサイズを判断する。
【００１８】
これによれば、半開き状態の場合に、比較値閾値を低減させて、第１比較値と比較値閾値とを比較して、受光位置よりも外側に原稿の端部があるか否かを判断することによって、原稿のサイズを判断する。このため、半開き状態の場合であっても、原稿のサイズを判断するための比較値閾値を半開き状態に合った値に低減させて、受光位置よりも外側に原稿の端部があるか否かから、原稿のサイズを判断することができる。したがって、原稿の色の違いによる誤判断、及びカバーが半開きの状態の場合での誤判断を低減して、原稿のサイズを判断することができる。
【００１９】
また、好ましくは、前記受光位置は、Ｂ４幅外かつＡ３幅内の位置にあり、前記比較値算出部は、前記受光位置からの光を受光した場合の、前記第２受光信号を前記第１受光信号で除した値である前記比較値を算出し、前記原稿サイズ判断部は、前記比較値が低減後の前記比較値閾値以下であると判断した場合、前記原稿のサイズをＡ３幅のサイズであると判断する。
【００２０】
これによれば、受光位置がＢ４幅外かつＡ３幅内の位置にある場合で、第１比較値が低減後の比較値閾値以下であると判断した場合、原稿のサイズをＡ３幅のサイズであると判断する。ここで、第１比較値は、受光位置が外側にあるほど半開き状態による影響を受け易いので、半開き状態の場合は、原稿のサイズがＡ３幅であるか否かを誤判断する可能性が高い。このため、カバーが半開きの状態の場合でのＡ３幅であるか否かの誤判断を低減して、原稿のサイズを判断することができる。
【００２１】
なお、本発明は、このような画像読取装置として実現できるだけでなく、このような画像読取装置を内蔵するネットワーク複合機として実現することもできる。
【００２２】
また、本発明は、画像読取装置が備える特徴的な処理部のそれぞれの動作をステップとする方法として実現することもでき、また、本発明は、各処理部の処理を行う集積回路として実現することもできる。
【００２３】
さらに、本発明は、コンピュータに上記各ステップを実行させるためのプログラムとして実現することもできる。そのようなプログラムは、ＣＤ−ＲＯＭ等の記録媒体又はインターネット等の伝送媒体を介して配信することもできる。
【発明の効果】
【００２４】
本発明に係る画像読取装置によれば、原稿の色の違いによる誤判断、及びカバーが半開きの状態の場合での誤判断を低減して、原稿のサイズを判断することができる。
【図面の簡単な説明】
【００２５】
【図１】本実施の形態におけるネットワーク複合機を含む通信システムの構成の一例を示す図である。
【図２】本実施の形態におけるネットワーク複合機のハードウェア構成を示すブロック図である。
【図３】スキャナの主要部を示す断面図である。
【図４】本実施の形態における画像読取装置の機能構成を示すブロック図である。
【図５】本実施の形態における受光信号データの一例を示す図である。
【図６】本実施の形態における画像読取装置の動作の一例を示すフローチャートである。
【図７】受光信号検出部が受光信号を検出する処理の一例を示すフローチャートである。
【図８Ａ】受光信号検出部が受光信号を検出することを説明する図である。
【図８Ｂ】受光信号検出部が受光信号を検出することを説明する図である。
【図９】半開き判断部が半開き状態であるか否かを判断する処理の一例を示すフローチャートである。
【図１０】半開き状態を説明する図である。
【図１１】半開き判断部による最大幅信号で示される値が受光信号閾値よりも小さいか否かの判断を説明する図である。
【図１２】原稿サイズ判断部が原稿のサイズを判断する処理の一例を示すフローチャートである。
【図１３】原稿サイズ判断部が原稿の幅方向のサイズを判断する処理の一例を示すフローチャートである。
【図１４Ａ】原稿サイズ判断部が第１閾値を低減させることを説明する図である。
【図１４Ｂ】原稿サイズ判断部が第１閾値を低減させることを説明する図である。
【図１５Ａ】原稿サイズ判断部が原稿のサイズをＡ３幅のサイズであると判断する処理を説明する図である。
【図１５Ｂ】原稿サイズ判断部が原稿のサイズをＡ３幅のサイズであると判断する処理を説明する図である。
【図１６Ａ】原稿サイズ判断部が原稿のサイズをＢ４幅以下のサイズであると判断する処理を説明する図である。
【図１６Ｂ】原稿サイズ判断部が原稿のサイズをＢ４幅以下のサイズであると判断する処理を説明する図である。
【図１７Ａ】原稿サイズ判断部が原稿のサイズをＢ４幅のサイズであると判断する処理を説明する図である。
【図１７Ｂ】原稿サイズ判断部が原稿のサイズをＢ４幅のサイズであると判断する処理を説明する図である。
【図１８】原稿サイズ判断部が原稿の長手方向のサイズを判断する処理の一例を示すフローチャートである。
【図１９】原稿サイズ判断部が原稿の長手方向のサイズを判断する処理を説明する図である。
【発明を実施するための形態】
【００２６】
以下、本発明の実施の形態について、図面を用いて詳細に説明する。
【００２７】
まず、図１及び図２を用いて、本発明の実施の形態における画像読取装置を備えるネットワーク複合機の構成の概要について説明する。
【００２８】
図１は、本実施の形態におけるネットワーク複合機を含む通信システムの構成の一例を示す図である。
【００２９】
同図に示すように、この通信システムは、ネットワーク複合機１及び２、端末装置３及び４、ＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話交換回線網）５、並びにＬＡＮ（Ｌｏｃａｌ  Ａｒｅａ  Ｎｅｔｗｏｒｋ）６を備えている。
【００３０】
ここで、ネットワーク複合機１は、本実施の形態の画像読取装置を備えるネットワーク複合機の一例である。ネットワーク複合機１は、ＰＳＴＮ５を介してネットワーク複合機２と接続され、またＬＡＮ６を介して端末装置３及び４と接続される。
【００３１】
ネットワーク複合機１は、スキャナで読み取った原稿を、例えば、ＰＳＴＮ５を介してネットワーク複合機２へファクシミリ送信すること、及び、ＬＡＮ６を介して端末装置３及び４へ送信することができる。また、内蔵されるプリンタでプリントアウトすることができる。
【００３２】
図２は、本実施の形態におけるネットワーク複合機１のハードウェア構成を示すブロック図である。
【００３３】
同図に示すように、ネットワーク複合機１は、ＣＰＵ（Ｃｅｎｔｒａｌ  Ｐｒｏｃｅｓｓｉｎｇ  Ｕｎｉｔ）１０、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、モデム１３、ＮＣＵ（Ｎｅｔｗｏｒｋ  Ｃｏｎｔｒｏｌ  Ｕｎｉｔ）１４、操作パネル１５、ディスプレイ１６、スキャナ１７、プリンタ１８、及びＬＡＮＩ／Ｆ（ＬＡＮインターフェース）１９を備えている。
【００３４】
ＣＰＵ１０は、ＲＯＭ１１に格納された制御プログラム２０を実行することにより、ネットワーク複合機１の全体を制御する。
【００３５】
ＣＰＵ１０は、特徴的な処理として、スキャナ１７に読み取られた原稿のサイズを判断する。この原稿のサイズの判断についての具体的な処理内容は、後述する。
【００３６】
ＲＯＭ１１は、ＣＰＵ１０が実行する制御プログラム２０を保持する読み出し専用メモリである。
【００３７】
ＲＡＭ１２は、ＣＰＵ１０が制御プログラム２０を実行する際に用いられるワークデータ、及びスキャナ１７から得られた画像データ等を保持する読み書き可能なメモリである。
【００３８】
モデム１３は、ＲＡＭ１２に保持された画像データ等をファクシミリ信号に変調して送信し、また外部から受信されたファクシミリ信号をラインデータに復調する。モデム１３は、例えばＧ３規格に準拠したファックスモデムである。
【００３９】
ＮＣＵ１４は、モデム１３とＰＳＴＮ５との接続を制御する網制御装置である。
【００４０】
操作パネル１５は、利用者からの操作を受け付けるタッチパネルである。
【００４１】
ディスプレイ１６は、利用者への操作ガイド、又はネットワーク複合機１の動作状態を表示する表示装置であり、例えばＬＣＤ（Ｌｉｑｕｉｄ  Ｃｒｙｓｔａｌ  Ｄｉｓｐｌａｙ：液晶表示装置）である。
【００４２】
スキャナ１７は、画像を読み取る装置であり、ＣＰＵ１０の制御下で、ＣＣＤを用いて原稿を光学的に読み取ることによって画像データを生成する。なお、スキャナ１７は、本実施の形態の画像読取装置に備えられている。
【００４３】
プリンタ１８は、印刷装置であり、ＣＰＵ１０の制御下で、例えばＲＡＭ１２に保持された画像データによって表される画像イメージを印刷出力する。
【００４４】
ＬＡＮＩ／Ｆ１９は、ネットワーク複合機１とＬＡＮ６とを接続する通信アダプタであり、ＣＰＵ１０の制御下で、例えばＲＡＭ１２に保持された画像データを端末装置３等へ送信する。
【００４５】
次に、本実施の形態における画像読取装置が備えるスキャナ１７について、説明する。
【００４６】
図３は、スキャナ１７の主要部を示す断面図である。同図を用いて、スキャナ１７のハードウェア構成について簡略に説明する。
【００４７】
スキャナ１７は、フラットベッドスキャン方式及び自動原稿供給方式で原稿を読み取ることができるスキャナであり、読み取り機構部１７０、カバー部材１８０、及び原稿給送部１９０を備えている。
【００４８】
読み取り機構部１７０は、原稿載置部１７１、長手センサ１７２、フルレートキャリッジ１７３、ハーフレートキャリッジ１７８、集光レンズユニット１７９、ＣＣＤ１７５、駆動ベルト１７６ａ、駆動ベルト１７６ｂ、及び移動モータ１７７を備えている。
【００４９】
原稿載置部１７１は、原稿を載置するための載置領域を有するコンタクトガラスである。つまり、ユーザによって、原稿載置部１７１上の当該載置領域内に原稿が載置される。
【００５０】
長手センサ１７２は、原稿の長手方向（横方向）の長さのサイズを判断するためのセンサである。具体的には、長手センサ１７２は、原稿載置部１７１の長手センサ１７２の上方の位置での、原稿載置部１７１への原稿の載置状態を示すＯＮ又はＯＦＦ信号を取得する。この長手センサ１７２が取得するＯＮ又はＯＦＦ信号によって原稿の長さのサイズを判断する処理の詳細については、後述する。
【００５１】
フルレートキャリッジ１７３は、内部に光源１７４及び第１ミラー１７３ａを有し、移動モータ１７７に駆動される駆動ベルト１７６ａに取り付けられている。これにより、フルレートキャリッジ１７３は同図における左右方向に移動する。
【００５２】
光源１７４は、原稿載置部１７１の載置領域を照射する。つまり、光源１７４は、原稿載置部１７１の下方から、載置領域内に載置された原稿の裏面部を照射する。また、載置領域内の原稿が載置されていない領域では、光源１７４は、カバー部材１８０の裏面部に向けて、当該領域を照射する。
【００５３】
ハーフレートキャリッジ１７８は、内部に互いに９０°の角度をなす第２ミラー１７８ａ及び第３ミラー１７８ｂを有し、移動モータ１７７に駆動される駆動ベルト１７６ｂに取り付けられている。
【００５４】
なお、駆動ベルト１７６ａ及び駆動ベルト１７６ｂは、同軸的に軸装されかつ径が２：１の駆動プーリにそれぞれ掛け渡され、同一の移動モータ１７７により駆動される。
【００５５】
従って、駆動ベルト１７６ａに連結されたフルレートキャリッジ１７３と、駆動ベルト１７６ｂに連結されたハーフレートキャリッジ１７８とは、移動モータ１７７の回転駆動により、２：１の速度比で、互いに追従するよう往復動する。
【００５６】
集光レンズユニット１７９及びＣＣＤ１７５は、読み取り機構部１７０の筐体に固定されている。具体的には、光源１７４から照射され原稿により反射された反射光が、第１ミラー１７３ａ、第２ミラー１７８ａ、及び第３ミラー１７８ｂの順で反射し、集光レンズユニット１７９を経て、ＣＣＤ１７５に入光し結像される。そして、ＣＣＤ１７５で、結像した光情報がデジタルの電気信号に変換され出力される。
【００５７】
カバー部材１８０は、読み取り機構部１７０に回動開閉可能に取り付けられる。つまり、カバー部材１８０は、原稿載置部１７１の上方から、原稿を覆うように下降する部材である。具体的には、フラットベッドスキャン方式で原稿を読み取る際には、ユーザによって、押え蓋として機能するカバー部材１８０で、原稿が原稿載置部１７１に押圧静止される。
【００５８】
原稿給送部１９０は、自動原稿供給方式で原稿を読み取る際に、原稿載置部１７１上の載置領域に原稿を移送する。
【００５９】
なお、スキャナ１７の構成はこのような構成に限られない。例えば、光源とＣＣＤとが設置された１つのキャリッジが原稿下を移動することにより原稿からの反射光をＣＣＤが直接捉える構成であってもよい。
【００６０】
以上が、本実施の形態のネットワーク複合機１の構成の概要である。
【００６１】
次に、本実施の形態の画像読取装置の機能構成及び動作について説明する。
【００６２】
図４は、本実施の形態における画像読取装置１００の機能構成を示すブロック図である。つまり、同図は、図２に示されたハードウェア構成によって発揮されるネットワーク複合機１の機能のうち、主に本実施の形態の画像読取装置１００に関わる機能の構成を示すブロック図である。
【００６３】
同図に示すように、画像読取装置１００は、スキャナ１７の他に、下降位置検出部１０１、照射部１０２、受光信号検出部１０３、比較値算出部１０４、半開き判断部１０５、原稿サイズ判断部１０６、長手信号検出部１０７及びデータ記憶部１１０を備えている。なお、以下に述べる下降位置検出部１０１、照射部１０２、受光信号検出部１０３、比較値算出部１０４、半開き判断部１０５、原稿サイズ判断部１０６及び長手信号検出部１０７による各種の処理は、具体的には制御プログラム２０を実行するＣＰＵ１０等によって実現される。
【００６４】
下降位置検出部１０１は、カバー部材１８０の下降位置を検出するセンサである。具体的には、下降位置検出部１０１は、カバー部材１８０が原稿載置部１７１を閉止する直前のカバー部材１８０の下降位置を第１下降位置として検出する。また、下降位置検出部１０１は、カバー部材１８０が原稿載置部１７１を閉止した後のカバー部材１８０の下降位置を第２下降位置として検出する。
【００６５】
なお、下降位置検出部１０１の検出機構はどのようなものであってもよく、第１下降位置と第２下降位置とをカバー部材１８０の位置によって検出してもよいし、カバー部材１８０の原稿載置部１７１に対する開閉角度によって検出してもよい。また、下降位置検出部１０１は、１つのセンサで第１下降位置と第２下降位置とを検出してもよいし、第１下降位置と第２下降位置とをそれぞれ検出する２つのセンサを備えていてもよい。
【００６６】
照射部１０２は、カバー部材１８０が第１下降位置まで下降した際、及びカバー部材１８０が第２下降位置まで下降した際に、光源１７４に、原稿載置部１７１の下方から原稿又はカバー部材１８０に向けて載置領域を照射させる。つまり、照射部１０２は、下降位置検出部１０１が、カバー部材１８０の下降位置が第１下降位置であると検出した場合、及び、カバー部材１８０の下降位置が第２下降位置であると検出した場合に、光源１７４に載置領域を照射させる。
【００６７】
受光信号検出部１０３は、カバー部材１８０が第１下降位置まで下降した際に、照射部１０２によって光源１７４に照射された載置領域からの光を受光して第１受光信号を検出する。また、受光信号検出部１０３は、カバー部材１８０が第１下降位置よりも下方の第２下降位置まで下降した際に、照射部１０２によって光源１７４に照射された載置領域からの光を受光して第２受光信号を検出する。
【００６８】
つまり、受光信号検出部１０３は、下降位置検出部１０１が、カバー部材１８０の下降位置が第１下降位置であると検出した場合に第１受光信号を検出し、カバー部材１８０の下降位置が第２下降位置であると検出した場合に第２受光信号を検出する。
【００６９】
具体的には、受光信号検出部１０３は、カバー部材１８０が第１下降位置まで下降した際に、原稿に反射された光源１７４の光、又はカバー部材１８０に反射された光源１７４の光を受光して第１受光信号を検出する。また、受光信号検出部１０３は、カバー部材１８０が第２下降位置まで下降した際に、原稿に反射された光源１７４の光、又はカバー部材１８０に反射された光源１７４の光を受光して第２受光信号を検出する。ここで、受光信号検出部１０３は、ＣＣＤ１７５から出力される電気信号を受光信号として検出する。
【００７０】
比較値算出部１０４は、受光信号検出部１０３が検出した第１受光信号と第２受光信号との差分又は比率によって示される比較値を算出する。具体的には、比較値算出部１０４は、第１受光位置からの光を受光した場合の、第２受光信号から第１受光信号を差し引いた値、又は第２受光信号を第１受光信号で除した値である第１比較値を算出する。また、比較値算出部１０４は、第２受光位置からの光を受光した場合の、第２受光信号から第１受光信号を差し引いた値、又は第２受光信号を第１受光信号で除した値である第２比較値を算出する。
【００７１】
ここで、第１受光位置は、載置領域のうちの所定の位置であり、具体的には、載置領域のうち、外乱光が入射しない非入射領域外の当該外乱光が入射しない位置である。また、第２受光位置は、載置領域のうちの所定の位置であり、具体的には、非入射領域内の位置である。
【００７２】
半開き判断部１０５は、受光信号検出部１０３が検出した第２受光信号を用いて、第２下降位置が半開き状態の下降位置であるか否かを判断する。
【００７３】
具体的には、半開き判断部１０５は、載置領域のうち、原稿載置部１７１に載置される原稿の最大原稿幅外の位置からの光を受光した場合の第２受光信号である最大幅信号で示される値が、所定の閾値である受光信号閾値よりも小さいか否かを判断する。
【００７４】
そして、半開き判断部１０５は、最大幅信号で示される値が受光信号閾値よりも小さいと判断した場合、第２下降位置を、カバー部材１８０が原稿載置部１７１を閉止していない半開き状態の下降位置であると判断する。また、半開き判断部１０５は、最大幅信号で示される値が受光信号閾値以上であると判断した場合、第２下降位置を、カバー部材１８０が原稿載置部１７１を閉止した閉止状態の下降位置であると判断する。
【００７５】
長手信号検出部１０７は、カバー部材１８０が第１下降位置まで下降した際、及びカバー部材１８０が第２下降位置まで下降した際に、長手センサ１７２が取得した、原稿の長手方向の長さのサイズを判断するためのＯＮ又はＯＦＦ信号である長手信号を検出する。つまり、長手信号検出部１０７は、下降位置検出部１０１が、カバー部材１８０の下降位置が第１下降位置であると検出した場合に第１長手信号を検出し、カバー部材１８０の下降位置が第２下降位置であると検出した場合に第２長手信号を検出する。
【００７６】
原稿サイズ判断部１０６は、第１受光位置からの光を受光した場合の比較値である第１比較値と、第２受光位置からの光を受光した場合の比較値である第２比較値とを用いて、原稿のサイズを判断する。ここで、判断する原稿のサイズは、原稿の幅方向（縦方向）の長さのサイズである。
【００７７】
具体的には、原稿サイズ判断部１０６は、比較値算出部１０４が算出した第１比較値が所定の第１閾値以下であるか否かによって、原稿のサイズを判断する。つまり、原稿サイズ判断部１０６は、第１比較値が第１閾値以下である場合、第１受光位置よりも外側に原稿の端部があるとして原稿のサイズを判断し、第１比較値が第１閾値よりも大きい場合、第１受光位置よりも内側に原稿の端部があるとして原稿のサイズを判断する。ここで、この第１閾値は、特許請求の範囲に記載の「比較値閾値」に相当する。
【００７８】
また、原稿サイズ判断部１０６は、半開き判断部１０５が、第２下降位置が半開き状態の下降位置であると判断した場合、第１閾値を変化させて、第１比較値が変化後の第１閾値以下であるか否かによって、原稿のサイズを判断する。
【００７９】
具体的には、原稿サイズ判断部１０６は、第１閾値を低減させて、原稿のサイズを判断する。つまり、原稿サイズ判断部１０６は、第２下降位置が半開き状態の下降位置であると判断された場合であって、第１比較値が低減後の第１閾値以下であると判断した場合、第１受光位置よりも外側に原稿の端部があるとして原稿のサイズを判断する。
【００８０】
また、原稿サイズ判断部１０６は、第２受光位置が変化することで、第２比較値の変化量が所定の第２閾値よりも大きくなった第２受光位置に原稿の端部があるとして、原稿のサイズを判断する。具体的には、原稿サイズ判断部１０６は、第２受光位置が非入射領域の境界位置にある場合を探索開始点として、第２受光位置が非入射領域の内側に向かうように第２受光位置を変化させて、第２比較値の変化量が第２閾値よりも大きくなる変化点を探索し、変化点での第２受光位置に原稿の端部があるとして、原稿のサイズを判断する。
【００８１】
そして、原稿サイズ判断部１０６は、判断した原稿の幅方向のサイズと、長手信号検出部１０７が検出した第１長手信号及び第２長手信号から判断される長手方向のサイズとから、原稿のサイズを決定する。
【００８２】
データ記憶部１１０は、受光位置と第１受光信号と第２受光信号とが対応付けられた受光信号データ１１１を記憶する記憶手段であり、具体的にはＲＡＭ１２により実現される。
【００８３】
図５は、本実施の形態における受光信号データ１１１の一例を示す図である。
【００８４】
同図に示すように、受光信号データ１１１は、受光位置ごとの、受光信号検出部１０３が検出した第１受光信号及び第２受光信号を示すデータの集まりである。
【００８５】
つまり、受光信号検出部１０３は、受光位置ごとの第１受光信号及び第２受光信号を検出し、検出した第１受光信号及び第２受光信号をデータ記憶部１１０に記憶させることで、受光信号データ１１１を更新する。
【００８６】
また、比較値算出部１０４は、受光信号データ１１１の第１受光信号と第２受光信号とを参照することで、第１受光信号と第２受光信号との差分又は比率によって示される比較値を算出する。
【００８７】
また、半開き判断部１０５は、受光信号データ１１１の第２受光信号を参照することで、第２下降位置が半開き状態の下降位置であるか、閉止状態の下降位置であるかを判断する。
【００８８】
次に、画像読取装置１００が原稿のサイズを判断する処理の動作について説明する。
【００８９】
図６は、本実施の形態における画像読取装置１００の動作の一例を示すフローチャートである。
【００９０】
同図に示すように、まず、受光信号検出部１０３が、受光信号を検出する（Ｓ１０２）。この受光信号検出部１０３が受光信号を検出する処理の詳細については、後述する。
【００９１】
そして、半開き判断部１０５は、受光信号検出部１０３が検出した第２受光信号を用いて、第２下降位置が半開き状態の下降位置であるか否かを判断する（Ｓ１０４）。この半開き判断部１０５が半開き状態であるか否かを判断する処理の詳細については、後述する。
【００９２】
そして、原稿サイズ判断部１０６は、受光信号検出部１０３が受光した受光信号、及び半開き判断部１０５が判断した結果から、原稿のサイズを判断する（Ｓ１０６）。この原稿サイズ判断部１０６が原稿のサイズを判断する処理の詳細については、後述する。
【００９３】
以上により、画像読取装置１００が原稿のサイズを判断する処理は終了する。
【００９４】
次に、受光信号検出部１０３が受光信号を検出する処理（図６のＳ１０２）の詳細について、説明する。
【００９５】
図７は、受光信号検出部１０３が受光信号を検出する処理の一例を示すフローチャートである。
【００９６】
図８Ａ及び図８Ｂは、受光信号検出部１０３が受光信号を検出することを説明する図である。
【００９７】
図７に示すように、まず、下降位置検出部１０１は、第１下降位置を検出する（Ｓ２０２）。具体的には、図８Ａに示すように、下降位置検出部１０１は、カバー部材１８０が原稿載置部１７１を閉止する直前のカバー部材１８０の下降位置を第１下降位置として検出する。
【００９８】
次に、長手信号検出部１０７は、長手センサ１７２が取得した第１長手信号を検出する（Ｓ２０４）。
【００９９】
そして、照射部１０２は、光源１７４に、原稿載置部１７１の下方から原稿又はカバー部材１８０に向けて載置領域を照射させる（Ｓ２０６）。
【０１００】
そして、受光信号検出部１０３は、照射部１０２が照射した光をＣＣＤ１７５が受光して出力される電気信号を第１受光信号として検出する（Ｓ２０８）。そして、受光信号検出部１０３は、検出した第１受光信号をデータ記憶部１１０に記憶させることで、受光信号データ１１１を更新する。
【０１０１】
次に、下降位置検出部１０１は、第２下降位置を検出する（Ｓ２１０）。具体的には、図８Ｂに示すように、下降位置検出部１０１は、カバー部材１８０が原稿載置部１７１を閉止した後のカバー部材１８０の下降位置を第２下降位置として検出する。
【０１０２】
次に、長手信号検出部１０７は、長手センサ１７２が取得した第２長手信号を検出する（Ｓ２１２）。
【０１０３】
そして、照射部１０２は、光源１７４に、原稿載置部１７１の下方から原稿又はカバー部材１８０に向けて載置領域を照射させる（Ｓ２１４）。
【０１０４】
そして、受光信号検出部１０３は、照射部１０２が照射した光をＣＣＤ１７５が受光して出力される電気信号を第２受光信号として検出する（Ｓ２１６）。そして、受光信号検出部１０３は、検出した第２受光信号をデータ記憶部１１０に記憶させることで、受光信号データ１１１を更新する。
【０１０５】
以上により、受光信号検出部１０３が受光信号を検出する処理（図６のＳ１０２）は終了する。
【０１０６】
次に、半開き判断部１０５が半開き状態であるか否かを判断する処理（図６のＳ１０４）の詳細について、説明する。
【０１０７】
図９は、半開き判断部１０５が半開き状態であるか否かを判断する処理の一例を示すフローチャートである。
【０１０８】
図１０は、半開き状態を説明する図である。
【０１０９】
図９に示すように、まず、半開き判断部１０５は、最大幅信号を取得する（Ｓ３０２）。具体的には、半開き判断部１０５は、受光信号データ１１１の第２受光信号を参照することで、原稿載置部１７１に載置される原稿の最大原稿幅外の位置からの光を受光した場合の第２受光信号である最大幅信号を取得する。
【０１１０】
そして、半開き判断部１０５は、最大幅信号で示される値が所定の閾値である受光信号閾値よりも小さいか否かを判断する（Ｓ３０４）。半開き判断部１０５による最大幅信号で示される値が受光信号閾値よりも小さいか否かの判断の詳細については、後述する。
【０１１１】
半開き判断部１０５は、最大幅信号で示される値が受光信号閾値よりも小さいと判断した場合（Ｓ３０４でＹＥＳ）、図１０に示すように、第２下降位置を半開き状態の下降位置であると判断する（Ｓ３０６）。
【０１１２】
つまり、図８Ａに示したように、紙などの厚みの薄い原稿Ｚ１を原稿載置部１７１に載置する場合は、図８Ｂに示すように、カバー部材１８０を原稿載置部１７１に完全に閉止することができる。しかし、図１０に示すように、本など厚みの厚い原稿Ｚ２を原稿載置部１７１に載置する場合は、カバー部材１８０を完全に閉止することはできず、カバー部材１８０は、半開き状態となる。
【０１１３】
図９に戻り、半開き判断部１０５は、最大幅信号で示される値が受光信号閾値以上であると判断した場合（Ｓ３０４でＮＯ）、第２下降位置を閉止状態の下降位置であると判断する（Ｓ３０８）。
【０１１４】
以上により、半開き判断部１０５が半開き状態であるか否かを判断する処理（図６のＳ１０４）は終了する。
【０１１５】
次に、半開き判断部１０５による最大幅信号で示される値が受光信号閾値よりも小さいか否かの判断（図９のＳ３０４）について、説明する。
【０１１６】
図１１は、半開き判断部１０５による最大幅信号で示される値が受光信号閾値よりも小さいか否かの判断を説明する図である。同図では、横軸が原稿の幅方向の位置を示し、縦軸が当該位置での受光信号の大きさを示している。
【０１１７】
また、同図では、実線が、Ａ３幅のサイズの原稿が原稿載置部１７１に載置されている場合の、カバー部材１８０が閉止状態での、原稿の幅方向の位置と受光信号の大きさとの関係を示すグラフである。また、点線が、最大原稿幅であるＡ３幅のサイズの原稿が原稿載置部１７１に載置されている場合の、カバー部材１８０が半開き状態での、原稿の幅方向の位置と受光信号の大きさとの関係を示すグラフである。
【０１１８】
同図に示すように、原稿領域のうちのＡ３幅の領域では、原稿が載置されているので、カバー部材１８０が閉止状態と半開き状態とで、受光信号は、ともに原稿から反射される光を受光した信号であり、同等の値である。
【０１１９】
これに対し、原稿領域のうちの最大原稿幅であるＡ３幅の外側の領域（例えば、同図に示す受光位置Ｑ１）では、原稿が載置されていないので、カバー部材１８０が閉止状態と半開き状態とで、受光信号は、異なる値になる。
【０１２０】
つまり、カバー部材１８０が閉止状態では、受光信号は、カバー部材１８０の裏面から反射される光を受光した信号（同図に示すＹ１）である。そして、カバー部材１８０が半開き状態では、受光信号は、光がカバー部材１８０の裏面に完全に反射されないため、カバー部材１８０が閉止状態での受光信号よりも低い値の信号（同図に示すＹ２）となる。
【０１２１】
このため、半開き判断部１０５は、当該受光信号で示される値が受光信号閾値（同図に示すＷ１）よりも小さいか否かを判断し（図９のＳ３０４）、受光信号閾値よりも小さいと判断した場合、半開き状態であると判断する（図９のＳ３０６）。
【０１２２】
次に、原稿サイズ判断部１０６が原稿のサイズを判断する処理（図６のＳ１０６）の詳細について、説明する。
【０１２３】
図１２は、原稿サイズ判断部１０６が原稿のサイズを判断する処理の一例を示すフローチャートである。
【０１２４】
同図に示すように、原稿サイズ判断部１０６は、原稿の幅方向のサイズを判断する（Ｓ４０２）。この原稿サイズ判断部１０６が原稿の幅方向のサイズを判断する処理の詳細については、後述する。
【０１２５】
そして、原稿サイズ判断部１０６は、原稿の長手方向のサイズを判断する（Ｓ４０４）。この原稿サイズ判断部１０６が原稿の長手方向のサイズを判断する処理の詳細については、後述する。
【０１２６】
そして、原稿サイズ判断部１０６は、判断した原稿の幅方向のサイズと、長手方向のサイズとから、原稿のサイズを決定する（Ｓ４０６）。
【０１２７】
以上により、原稿サイズ判断部１０６が原稿のサイズを判断する処理（図６のＳ１０６）は終了する。
【０１２８】
次に、原稿サイズ判断部１０６が原稿の幅方向のサイズを判断する処理（図１２のＳ４０２）の詳細について、説明する。
【０１２９】
ここで、前提として、非入射領域はＢ４幅よりも大きくＡ３幅よりも小さい領域であり、カバー部材１８０が第１下降位置まで下降した際に、外乱光は非入射領域外かつＡ３幅内の領域に入射する。
【０１３０】
図１３は、原稿サイズ判断部１０６が原稿の幅方向のサイズを判断する処理の一例を示すフローチャートである。
【０１３１】
同図に示すように、まず、比較値算出部１０４は、受光信号データ１１１の第１受光信号と第２受光信号とを参照することで、第１比較値を算出する（Ｓ５０２）。ここでは、第１比較値は、受光信号検出部１０３が第１受光位置からの光を受光した場合の、第２受光信号を第１受光信号で除した値である。なお、第１比較値は、受光信号検出部１０３が第１受光位置からの光を受光した場合の、第２受光信号から第１受光信号を差し引いた値であってもよい。
【０１３２】
また、第１受光位置は、非入射領域外の外乱光が入射しない、Ｂ４幅外かつＡ３幅内の位置である。
【０１３３】
そして、原稿サイズ判断部１０６は、第２下降位置が半開き状態の下降位置であると半開き判断部１０５が判断したか否かを判断する（Ｓ５０４）。
【０１３４】
原稿サイズ判断部１０６は、第２下降位置が半開き状態の下降位置であると半開き判断部１０５が判断したと判断した場合（Ｓ５０４でＹＥＳ）、原稿のサイズを判断するための閾値である第１閾値を低減させる（Ｓ５０６）。
【０１３５】
図１４Ａ及び図１４Ｂは、原稿サイズ判断部１０６が第１閾値を低減させることを説明する図である。図１４Ａでは、横軸が原稿の幅方向の位置を示し、縦軸が当該位置での受光信号の大きさを示している。また、図１４Ｂでは、横軸が原稿の幅方向の位置を示し、縦軸が当該位置での第１比較値の値を示している。
【０１３６】
また、図１４Ａでは、実線は、Ａ３幅のサイズの原稿が原稿載置部１７１に載置されている場合の、原稿の幅方向の位置と第１受光信号の大きさとの関係を示すグラフである。また、点線は、Ａ３幅のサイズの原稿が原稿載置部１７１に載置されている場合の、原稿の幅方向の位置と第２受光信号の大きさとの関係を示すグラフである。
【０１３７】
また、図１４Ａの点線のグラフでは、Ａ３幅よりも外側の受光位置Ｑ１での、第２下降位置が閉止状態の下降位置での第２受光信号の大きさを受光信号Ｙ１で示し、第２下降位置が半開き状態の下降位置での第２受光信号の大きさを受光信号Ｙ２で示している。
【０１３８】
また、図１４Ｂでは、原稿の幅方向の位置と図１４Ａに示された状態での第１比較値の大きさとの関係を示すグラフを示している。つまり、第２下降位置が閉止状態の下降位置での第１比較値の大きさを第１比較値Ｘ１で示し、第２下降位置が半開き状態の下降位置での第１比較値の大きさを第１比較値Ｘ２で示している。
【０１３９】
これらの図に示すように、第２下降位置が半開き状態の下降位置の場合は、第２下降位置が閉止状態の下降位置の場合と比べ、第１比較値は小さくなる。つまり、第２下降位置が閉止状態の下降位置での第１比較値Ｘ１と比較するための第１閾値が図１４Ｂに示す第１閾値Ｗ２の場合、第１比較値Ｘ１と第１閾値Ｗ２との大小関係と、第２下降位置が半開き状態の下降位置での第１比較値Ｘ２と第１閾値Ｗ２との大小関係が逆転してしまう。このため、第１比較値を正確に判断するためには、第１閾値を第１閾値Ｗ３に低減させ、第１比較値Ｘ２と第１閾値Ｗ３とを比較する必要がある。
【０１４０】
したがって、原稿サイズ判断部１０６は、第２下降位置が半開き状態の下降位置である場合に（図１３のＳ５０４でＹＥＳ）、原稿のサイズを判断するための閾値である第１閾値を低減させる（図１３のＳ５０６）。原稿サイズ判断部１０６は、例えば、第１閾値を半分の値に低減させる。
【０１４１】
なお、図１４Ａ及び図１４Ｂでは、簡単のため、外乱光を考慮せずに説明を行ったが、外乱光が入射する場合でも同様に、原稿サイズ判断部１０６は、第２下降位置が半開き状態の下降位置である場合に、第１閾値を低減させる。
【０１４２】
図１３に戻り、原稿サイズ判断部１０６は、第２下降位置が閉止状態の下降位置であると半開き判断部１０５が判断したと判断した場合（Ｓ５０４でＮＯ）、第１閾値を低減させることなく、次の処理（Ｓ５０８）へ進む。
【０１４３】
次に、原稿サイズ判断部１０６は、比較値算出部１０４が算出した第１比較値が当該第１閾値以下であるか否を判断する（Ｓ５０８）。なお、第１閾値が低減されていれば、原稿サイズ判断部１０６は、第１比較値が低減後の第１閾値以下であるか否かを判断する。
【０１４４】
原稿サイズ判断部１０６は、第１比較値が第１閾値以下であると判断した場合（Ｓ５０８でＹＥＳ）、第１受光位置よりも外側に原稿の端部があるとして原稿のサイズを判断する。ここで、第１受光位置は、Ｂ４幅外かつＡ３幅内の位置であるので、第１受光位置よりも外側に原稿の端部がある場合は、原稿のサイズはＡ３幅のサイズである。
【０１４５】
このため、原稿サイズ判断部１０６は、第１比較値が第１閾値以下であると判断した場合（Ｓ５０８でＹＥＳ）、原稿のサイズはＡ３幅のサイズであると判断する（Ｓ５１０）。
【０１４６】
図１５Ａ及び図１５Ｂは、原稿サイズ判断部１０６が原稿のサイズをＡ３幅のサイズであると判断する処理を説明する図である。図１５Ａでは、横軸が原稿の幅方向の位置を示し、縦軸が当該位置での受光信号の大きさを示している。また、図１５Ｂでは、横軸が原稿の幅方向の位置を示し、縦軸が当該位置での第１比較値の値を示している。
【０１４７】
また、図１５Ａでは、実線は、Ａ３幅のサイズの原稿が原稿載置部１７１に載置されている場合の、原稿の幅方向の位置と第１受光信号の大きさとの関係を示すグラフである。また、点線は、Ａ３幅のサイズの原稿が原稿載置部１７１に載置されている場合の、原稿の幅方向の位置と第２受光信号の大きさとの関係を示すグラフである。
【０１４８】
なお、外乱光が同図に示す領域Ｇの部分に入射しているため、同図では、第１受光信号の大きさを示すグラフが、図１４Ａに示されたグラフと異なっている。
【０１４９】
また、図１５Ｂでは、原稿の幅方向の位置と図１５Ａに示された状態での第１比較値の大きさとの関係を示すグラフを示している。
【０１５０】
また、これらの図に示すように、非入射領域の境界位置Ｐ１の外側の、外乱光が入射しないＢ４幅外かつＡ３幅内の位置に、第１受光位置Ｐ２が位置している。
【０１５１】
そして、原稿サイズ判断部１０６は、第１受光位置Ｐ２での第１比較値が、第１閾値（Ｗ２又はＷ３）以下であるか否かを判断する（図１３のＳ５０８）。Ａ３幅のサイズの原稿が原稿載置部１７１に載置されている場合、第１受光位置Ｐ２での第１受光信号と第２受光信号とは同等の値になるために、第１比較値は１に近い小さい値となる。
【０１５２】
このため、原稿サイズ判断部１０６は、第１受光位置Ｐ２での第１比較値が第１閾値以下であると判断し（図１３のＳ５０８でＹＥＳ）、原稿のサイズはＡ３幅のサイズであると判断する（図１３のＳ５１０）。
【０１５３】
図１３に戻り、原稿サイズ判断部１０６は、第１比較値が第１閾値よりも大きいと判断した場合（Ｓ５０８でＮＯ）、第１受光位置よりも内側に原稿の端部があるとして原稿のサイズを判断する。つまり、原稿サイズ判断部１０６は、原稿のサイズはＢ４幅以下のサイズであると判断する。
【０１５４】
図１６Ａ及び図１６Ｂは、原稿サイズ判断部１０６が原稿のサイズをＢ４幅以下のサイズであると判断する処理を説明する図である。
【０１５５】
なお、図１５Ａ及び図１５ＢがＡ３幅のサイズの原稿が原稿載置部１７１に載置されている場合のグラフを示していたのに対し、図１６Ａ及び図１６Ｂは、Ｂ４幅のサイズの原稿が原稿載置部１７１に載置されている場合のグラフを示している。
【０１５６】
そして、原稿サイズ判断部１０６は、第１受光位置Ｐ２での第１比較値が、第１閾値（Ｗ２又はＷ３）以下であるか否かを判断する（図１３のＳ５０８）。ここで、Ｂ４幅のサイズの原稿が原稿載置部１７１に載置されている場合、第１受光位置Ｐ２には原稿が載置されていない。つまり、第１受光位置Ｐ２では、カバー部材１８０から反射される強い光が受光される。
【０１５７】
このため、これらの図に示すように、第１受光位置Ｐ２での第２受光信号は第１受光信号よりも大きな値になるために、第１受光位置Ｐ２での第１比較値Ｘ４は、第１閾値（Ｗ２又はＷ３）よりも大きな値となる。したがって、原稿サイズ判断部１０６は、第１受光位置Ｐ２での第１比較値Ｘ４が第１閾値よりも大きいと判断し（図１３のＳ５０８でＮＯ）、原稿のサイズはＢ４幅以下のサイズであると判断する。
【０１５８】
図１３に戻り、比較値算出部１０４は、受光信号データ１１１の第１受光信号と第２受光信号とを参照することで、第２比較値を算出する（Ｓ５１２）。ここでは、第２比較値は、受光信号検出部１０３が第２受光位置からの光を受光した場合の、第２受光信号から第１受光信号を差し引いた値である。なお、第２比較値は、受光信号検出部１０３が第２受光位置からの光を受光した場合の、第２受光信号を第１受光信号で除した値であってもよい。また、第２受光位置は、非入射領域内の位置、つまり、Ａ３幅よりも内側の位置である。
【０１５９】
そして、原稿サイズ判断部１０６は、第２受光位置が非入射領域の境界位置にある場合を探索開始点として、変化点の探索を開始する（Ｓ５１４）。具体的には、原稿サイズ判断部１０６は、第２受光位置が非入射領域の内側に向かうように第２受光位置を変化させて、第２比較値の変化量が所定の第２閾値よりも大きくなる変化点を探索する。
【０１６０】
つまり、原稿サイズ判断部１０６は、変化前後の第２受光位置について、第２比較値の変化量が第２閾値よりも大きいか否かを判断する（Ｓ５１６）。
【０１６１】
原稿サイズ判断部１０６は、第２比較値の変化量が第２閾値よりも大きいと判断した場合（Ｓ５１６でＹＥＳ）、変化点での第２受光位置に原稿の端部があるとして、原稿のサイズを判断する。ここで、第２受光位置は、Ａ３幅よりも内側の位置であるので、原稿サイズ判断部１０６は、第２比較値の変化量が第２閾値よりも大きいと判断した場合（Ｓ５１６でＹＥＳ）、変化点での第２受光位置に対応したＢ４幅以下のサイズを原稿のサイズと判断する（Ｓ５１８）。
【０１６２】
例えば、変化点での第２受光位置が、Ｂ４幅のサイズを示す位置である場合は、原稿サイズ判断部１０６は、原稿のサイズはＢ４幅のサイズであると判断する。Ａ４幅及びＢ５幅などについても同様である。
【０１６３】
図１７Ａ及び図１７Ｂは、原稿サイズ判断部１０６が原稿のサイズをＢ４幅のサイズであると判断する処理を説明する図である。
【０１６４】
なお、これらの図は、図１６Ａ及び図１６Ｂに示されたグラフにおいて、第２受光位置Ｐ３を変化させて変化点を探索することを示す図である。つまり、これらの図では、Ｂ４幅のサイズの原稿が原稿載置部１７１に載置されている場合のグラフを示している。
【０１６５】
また、図１７Ｂでは、原稿の幅方向の位置と図１７Ａに示された状態での第２比較値の大きさとの関係を示すグラフを示している。
【０１６６】
これらの図に示すように、原稿サイズ判断部１０６は、第２受光位置Ｐ３が非入射領域の境界位置Ｐ１にある場合を探索開始点として、変化点の探索を開始する（図１３のＳ５１４）。そして、原稿サイズ判断部１０６は、第２受光位置Ｐ３が非入射領域の内側に向かうように第２受光位置Ｐ３の位置を変化させて、第２比較値の変化量が第２閾値よりも大きくなる変化点を探索する。
【０１６７】
そして、図１７Ｂに示すように、原稿サイズ判断部１０６は、第２受光位置Ｐ３がＢ４幅の端部を示す位置になった場合に、第２比較値の変化量が第２閾値よりも大きいと判断した場合（図１３のＳ５１６でＹＥＳ）、原稿のサイズはＢ４幅のサイズであると判断する（図１３のＳ５１８）。
【０１６８】
ここで、第２比較値の変化量について説明する。例えば、第２受光位置がＰ５からＰ６に変化した場合で、第２受光位置Ｐ５での第２比較値がＸ５であり、第２受光位置Ｐ６での第２比較値がＸ６である場合、第２比較値の変化量は、以下の式で計算される。
【０１６９】
第２比較値の変化量＝（Ｘ５−Ｘ６）／（Ｐ５−Ｐ６）
【０１７０】
図１３に戻り、原稿サイズ判断部１０６は、第２比較値の変化量が第２閾値以下であると判断した場合（Ｓ５１６でＮＯ）、原稿なしと判断する（Ｓ５２０）。つまり、原稿サイズ判断部１０６は、第２受光位置が全ての非入射領域内を変化しても、変化点が見つからなかった場合に、原稿載置部１７１には原稿が載置されていないと判断する。
【０１７１】
以上により、原稿サイズ判断部１０６が原稿の幅方向のサイズを判断する処理（図１２のＳ４０２）は終了する。
【０１７２】
次に、原稿サイズ判断部１０６が原稿の長手方向のサイズを判断する処理（図１２のＳ４０４）の詳細について、説明する。
【０１７３】
図１８は、原稿サイズ判断部１０６が原稿の長手方向のサイズを判断する処理の一例を示すフローチャートである。
【０１７４】
同図に示すように、まず、原稿サイズ判断部１０６は、長手センサ１７２を介して長手信号検出部１０７が検出した第１長手信号及び第２長手信号を取得する（Ｓ６０２）。第１長手信号及び第２長手信号は、原稿載置部１７１への原稿の載置状態を示すＯＮ又はＯＦＦ信号である。
【０１７５】
次に、原稿サイズ判断部１０６は、取得した第１長手信号及び第２長手信号が、ともにＯＮ信号又はＯＦＦ信号か否かを判断する（Ｓ６０４）。
【０１７６】
原稿サイズ判断部１０６は、取得した第１長手信号及び第２長手信号が、ともにＯＮ信号又はＯＦＦ信号であると判断した場合（Ｓ６０４でＹＥＳ）、原稿の長手方向のサイズは、「長」であると判断する（Ｓ６０６）。
【０１７７】
また、原稿サイズ判断部１０６は、取得した第１長手信号及び第２長手信号の一方がＯＮ信号であり、他方がＯＦＦ信号であると判断した場合（Ｓ６０４でＮＯ）、原稿の長手方向のサイズは、「短」であると判断する（Ｓ６０８）。
【０１７８】
以上により、原稿サイズ判断部１０６が原稿の長手方向のサイズを判断する処理（図１２のＳ４０４）は終了する。
【０１７９】
ここで、図１８に示した原稿サイズ判断部１０６が原稿の長手方向のサイズを判断する処理について、詳細に説明する。
【０１８０】
図１９は、原稿サイズ判断部１０６が原稿の長手方向のサイズを判断する処理を説明する図である。
【０１８１】
同図に示すように、長手センサ１７２が原稿載置部１７１の長手センサ１７２の上方の位置での、原稿載置部１７１への原稿の載置状態を示すＯＮ又はＯＦＦ信号を取得する。
【０１８２】
そして、原稿サイズ判断部１０６は、第１下降位置でのＯＮ又はＯＦＦ信号である第１長手信号と、第２下降位置でのＯＮ又はＯＦＦ信号である第２長手信号とを取得する（図１８のＳ６０２）。
【０１８３】
ここで、第１長手信号及び第２長手信号がともにＯＮ信号又はＯＦＦ信号であれば、第１下降位置と第２下降位置では、長手センサ１７２の上方の位置における原稿載置部１７１の状態は同じであったことになる。つまり、長手センサ１７２の上方の位置に原稿が載置されていたために、カバー部材１８０の開閉によっても、第１長手信号と第２長手信号とが同じ信号を示したことになる。
【０１８４】
つまり、第１長手信号及び第２長手信号がともにＯＮ信号又はＯＦＦ信号であれば、長手センサ１７２の上方の位置に原稿が載置されていると判断でき、この場合、原稿は長手方向の長さが長い横向きに載置されていることになる。ここでは、この横向きに配置されている場合の原稿の長手方向のサイズを、「長」であるという。
【０１８５】
このため、原稿サイズ判断部１０６は、第１長手信号及び第２長手信号が、ともにＯＮ信号又はＯＦＦ信号であると判断した場合（図１８のＳ６０４でＹＥＳ）、原稿の長手方向のサイズは、「長」であると判断する（図１８のＳ６０６）。
【０１８６】
これに対し、第１長手信号及び第２長手信号の一方がＯＮ信号であり他方がＯＦＦ信号であれば、第１下降位置と第２下降位置では、長手センサ１７２の上方の位置における原稿載置部１７１の状態が違っていたことになる。つまり、長手センサ１７２の上方の位置に原稿が載置されていなかったために、カバー部材１８０の開閉により、第１長手信号と第２長手信号とが異なる信号を示したことになる。
【０１８７】
つまり、第１長手信号及び第２長手信号の一方がＯＮ信号であり他方がＯＦＦ信号であれば、長手センサ１７２の上方の位置に原稿が載置されていないと判断でき、この場合、原稿は長手方向の長さが短い縦向きに載置されていることになる。ここでは、この縦向きに配置されている場合の原稿の長手方向のサイズを、「短」であるという。
【０１８８】
このため、原稿サイズ判断部１０６は、第１長手信号及び第２長手信号の一方がＯＮ信号であり、他方がＯＦＦ信号であると判断した場合（図１８のＳ６０４でＮＯ）、原稿の長手方向のサイズは、「短」であると判断する（図１８のＳ６０８）。
【０１８９】
同図に示すように、原稿の幅方向のサイズがＡ３幅の場合、原稿の長手方向のサイズが「長」であれば、原稿のサイズはＡ３であり、原稿の長手方向のサイズが「短」であれば、原稿のサイズはＡ４である。
【０１９０】
以上のように、本発明に係る画像読取装置１００によれば、カバー部材１８０の２つの下降位置での受光信号の差分又は比率から、原稿のサイズを判断する。つまり、原稿の色にかかわらず、カバー部材１８０の２つの下降位置での受光信号は同等の値になるために、当該２つの下降位置での受光信号の差分はゼロ、又は比率は１に近い値となる。このため、原稿の色の違いによる誤判断を低減して、原稿のサイズを判断することができる。
【０１９１】
また、第２下降位置が半開き状態の下降位置であると判断した場合に、第１閾値を変化させて、原稿のサイズを判断する。つまり、半開き状態で受光信号が検出された場合に、原稿のサイズを判断するための第１閾値を半開き状態に合った値に変化させて、原稿のサイズを判断することができる。このため、カバーが半開きの状態の場合での誤判断を低減して、原稿のサイズを判断することができる。
【０１９２】
また、原稿の最大原稿幅外の位置からの光を受光した場合の第２受光信号である最大幅信号から、第２下降位置が半開き状態の下降位置であるか否かを判断する。ここで、原稿載置部１７１に原稿が載置されていても、原稿の最大原稿幅外の位置には原稿が載置されないため、原稿の有無によって最大幅信号で示される値は変化しない。このため、原稿の有無にかかわらず、半開き状態であるか否かを判断することができる。
【０１９３】
また、半開き状態の場合に、第１閾値を低減させて、第１比較値と第１閾値とを比較して、第１受光位置よりも外側に原稿の端部があるか否かを判断することによって、原稿のサイズを判断する。このため、半開き状態の場合であっても、原稿のサイズを判断するための第１閾値を半開き状態に合った値に低減させて、第１受光位置よりも外側に原稿の端部があるか否かから、原稿のサイズを判断することができる。
【０１９４】
また、第１受光位置がＢ４幅外かつＡ３幅内の位置にある場合で、第１比較値が低減後の第１閾値以下であると判断した場合、原稿のサイズをＡ３幅のサイズであると判断する。ここで、第１比較値は、第１受光位置が外側にあるほど半開き状態による影響を受け易いので、半開き状態の場合は、原稿のサイズがＡ３幅であるか否かを誤判断する可能性が高い。このため、カバーが半開きの状態の場合でのＡ３幅であるか否かの誤判断を低減して、原稿のサイズを判断することができる。
【０１９５】
また、外乱光が入射しない第１受光位置及び第２受光位置での比較値から、原稿のサイズを判断する。つまり、外乱光が入射しない位置での受光信号を用いるので、外乱光の有無にかかわらず、原稿のサイズを判断することができる。また、２つの比較値から原稿のサイズを判断するので、簡易に原稿のサイズを判断することができる。
【０１９６】
また、第１比較値の大きさから、第１受光位置よりも外側に原稿の端部があるか否かを判断することによって、原稿のサイズを判断する。具体的には、原稿のサイズがＡ３幅か否かを判断する。これにより、原稿の色及び外乱光の影響を受けることなく、簡易に原稿のサイズがＡ３幅か否かを判断することができる。
【０１９７】
また、第２比較値の変化量が第２閾値よりも大きくなった第２受光位置に原稿の端部があるとして、原稿のサイズを判断する。具体的には、原稿のサイズがＢ４幅以下の場合に、原稿の端部を探索することで、当該原稿のサイズを判断する。これにより、原稿の色及び外乱光の影響を受けることなく、簡易にＢ４幅以下の原稿のサイズを判断することができる。
【０１９８】
以上のように、本発明によれば、原稿の色の違いによる誤判断、及びカバーが半開きの状態の場合での誤判断を低減して、原稿のサイズを判断することができる。また、外乱光の影響を受けることなく、簡易に原稿のサイズを判断することもできる。
【０１９９】
以上、本発明に係る画像読取装置について、実施の形態に基づいて説明したが、本発明は、この実施の形態に限定されるものではない。
【０２００】
つまり、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０２０１】
たとえば、本実施の形態では、半開き判断部１０５は、最大原稿幅外の位置からの光を受光した場合の第２受光信号を用いて、第２下降位置が半開き状態の下降位置であるか否かを判断することとした。しかし、半開き判断部１０５は、最大原稿幅内の位置からの光を受光した場合の第２受光信号を用いて、第２下降位置が半開き状態の下降位置であるか否かを判断することにしてもよい。例えば、最大原稿幅内かつＢ４幅外の位置からの光を受光した場合の第２受光信号を用いた場合は、原稿載置部１７１に載置される原稿がＢ４幅以下のサイズであれば、第２下降位置が半開き状態の下降位置であるか否かを判断することができる。
【０２０２】
また、本実施の形態では、原稿サイズ判断部１０６は、第１閾値を低減させて、原稿のサイズを判断することとした。しかし、原稿サイズ判断部１０６は、第２閾値を低減させて、原稿のサイズを判断することにしてもよい。
【０２０３】
また、本実施の形態では、半開き判断部１０５による半開き状態か否かの判断結果を用いて、原稿サイズ判断部１０６は原稿のサイズを判断している。しかし、半開き判断部１０５によって半開き状態と判断された場合、スキャナ１７で原稿の画像データを読み取る際に、外乱光によって生じる黒い画像を低減するマスク量を増加させて、画像データを出力することにしてもよい。
【０２０４】
また、本実施の形態では、カバー部材１８０は、完全に閉止した状態になるように、第２下降位置まで下降することとした。しかし、カバー部材１８０は、半開き状態になるように、第２下降位置まで下降することにしてもよい。この場合、半開き判断部１０５は、カバー部材１８０が予め定められている第２下降位置まで下降していないことを判断することで、原稿サイズ判断部１０６が第１閾値を低減させて原稿のサイズを判断する。
【０２０５】
また、本実施の形態では、原稿サイズ判断部１０６は、原稿のサイズが、Ａ３幅のサイズか否かを判断し、Ａ３幅のサイズでなければＢ４幅以下のサイズを探索することとした。しかし、原稿サイズ判断部１０６は、原稿のサイズが、Ｂ４幅以下のサイズか否かを判断し、Ｂ４幅以下のサイズでなければＡ３幅のサイズか否かを判断することにしてもよい。
【０２０６】
また、本実施の形態では、外乱光はＢ４幅外かつＡ３幅内の位置に入射することとし、原稿サイズ判断部１０６は、原稿のサイズを、Ａ３幅のサイズか否か、又はＢ４幅以下のサイズか否かを判断することで、原稿のサイズを判断することとした。しかし、外乱光はＢ４幅外かつＡ３幅内の位置に入射せずともよく、例えば、外乱光はＡ４幅外かつＢ４幅内の位置に入射することとし、原稿サイズ判断部１０６は、Ｂ４幅以上のサイズか否か、又はＡ４幅以下のサイズか否かを判断することで、原稿のサイズを判断することにしてもよい。
【０２０７】
また、本実施の形態では、原稿サイズ判断部１０６は、第２受光位置が非入射領域の境界位置にある場合を探索開始点として変化点を探索し、原稿のサイズを判断することとした。しかし、探索開始点は、第２受光位置が非入射領域の境界位置にある場合に限られず、例えば、原稿サイズ判断部１０６は、第２受光位置がＢ４幅の端部の位置にある場合を探索開始点として変化点を探索し、原稿のサイズを判断することにしてもよい。
【産業上の利用可能性】
【０２０８】
本発明は、画像読取装置として、特に、原稿の色の違いによる誤判断、及びカバーが半開きの状態の場合での誤判断を低減して、原稿のサイズを判断することができる画像読取装置として、利用することができる。
【符号の説明】
【０２０９】
１、２  ネットワーク複合機
３、４  端末装置
１０  ＣＰＵ
１１  ＲＯＭ
１２  ＲＡＭ
１３  モデム
１４  ＮＣＵ
１５  操作パネル
１６  ディスプレイ
１７  スキャナ
１８  プリンタ
１９  ＬＡＮＩ／Ｆ
１００  画像読取装置
１０１  下降位置検出部
１０２  照射部
１０３  受光信号検出部
１０４  比較値算出部
１０５  半開き判断部
１０６  原稿サイズ判断部
１０７  長手信号検出部
１１０  データ記憶部
１１１  受光信号データ
１７０  読み取り機構部
１７１  原稿載置部
１７２  長手センサ
１７３  フルレートキャリッジ
１７４  光源
１７５  ＣＣＤ
１７８  ハーフレートキャリッジ
１７９  集光レンズユニット
１８０  カバー部材
１９０  原稿給送部
【図１】
2011066579.tif 000003
【図２】
2011066579.tif 000004
【図３】
2011066579.tif 000005
【図４】
2011066579.tif 000006
【図５】
2011066579.tif 000007
【図６】
2011066579.tif 000008
【図７】
2011066579.tif 000009
【図８Ａ】
2011066579.tif 000010
【図８Ｂ】
2011066579.tif 000011
【図９】
2011066579.tif 000012
【図１０】
2011066579.tif 000013
【図１１】
2011066579.tif 000014
【図１２】
2011066579.tif 000015
【図１３】
2011066579.tif 000016
【図１４Ａ】
2011066579.tif 000017
【図１４Ｂ】
2011066579.tif 000018
【図１５Ａ】
2011066579.tif 000019
【図１５Ｂ】
2011066579.tif 000020
【図１６Ａ】
2011066579.tif 000021
【図１６Ｂ】
2011066579.tif 000022
【図１７Ａ】
2011066579.tif 000023
【図１７Ｂ】
2011066579.tif 000024
【図１８】
2011066579.tif 000025
【図１９】
2011066579.tif 000026